【手続補正書】
【提出日】平成20年5月23日(2008.5.23)
【手続補正１】
【補正対象書類名】明細書
【補正対象項目名】発明の名称
【補正方法】変更
【補正の内容】
【発明の名称】画像読取装置
【手続補正２】
【補正対象書類名】明細書
【補正対象項目名】特許請求の範囲
【補正方法】変更
【補正の内容】
【特許請求の範囲】
【請求項１】  原稿をガラス上で移動させながら読取手段により原稿画像を読取る画像読取装置であって、
前記読取手段による原稿読取りを行っていない期間中に前記読取手段から出力される画像データに基づき、前記ガラス上におけるゴミ又は汚れの有無を検知する検知手段と、
前記読取手段による原稿読取り中に前記読取手段から出力される画像データに対し、前記検知手段の検知結果に基づいた補正処理を行う補正手段と、
前記読取手段の読取位置を移動させる移動手段と、
前記読取手段による原稿読取り中は前記補正手段により補正処理を行わせ、前記読取手段による原稿読取りを行っていない期間中に前記移動手段により前記読取手段の読取位置を前記ガラス上のゴミ又は汚れの無い位置へ移動させる制御手段とを有することを特徴とする画像読取装置。
【請求項２】  前記補正手段は、前記検知手段の検知結果に応じて、ゴミ又は汚れが検出された位置に対応した画像データをその周囲の画像データで置き換えることで、画像データに対してゴミ又は汚れに関する補正を行うことを特徴とする請求項１記載の画像読取装置。
【請求項３】  前記検知手段は、前記読取手段から出力される画像データを２値化する２値化手段と、主走査方向の同一アドレスの画像データに一定率以上黒データが得られるか否かを判定する判定手段とを含むことを特徴とする請求項１記載の画像読取装置。
【請求項４】  前記検知手段は、主走査方向の同一アドレスの画像データに一定率以上の黒データが得られる画素が所定数以下で連続する場合は、そのアドレスに対応する前記ガラス上の個所にゴミ又は汚れがあると判定し、前記主走査方向の同一アドレスの画像データに一定率以上の黒データが得られる画素が所定数を超えて連続する場合は、前記ガラス上のゴミ又は汚れではないと判定する判定手段を含むことを特徴とする請求項１記載の画像読取装置。
【請求項５】  前記制御手段は、原稿読取ジョブの各原稿の読取りの間の原稿読取りを行っていない期間中に前記検知手段に検知を行わせ、原稿読取りジョブ中は前記補正手段により補正処理を行わせ、原稿読取りジョブの終了時から次の原稿読取ジョブの開始時までに前記移動手段により前記読取手段の読取位置を前記ガラス上のゴミ又は汚れの無い位置へ移動させることを特徴とする請求項１記載の画像読取装置。
【手続補正３】
【補正対象書類名】明細書
【補正対象項目名】０００１
【補正方法】変更
【補正の内容】
【０００１】
【発明の属する技術分野】
本発明は、リニアイメージセンサを用いて原稿画像を読取る画像読取装置に関し、特に、画像読取装置に付設された原稿自動送り装置により原稿を一定速度で移動させながら原稿画像を読み取る流し読みを行う際に、原稿台ガラス上に付着したゴミや汚れ等に起因した黒スジ画像の発生を抑制または補正する場合に好適な画像読取装置に関する。
【手続補正４】
【補正対象書類名】明細書
【補正対象項目名】０００７
【補正方法】変更
【補正の内容】
【０００７】
本発明は、上述した点に鑑みなされたものであり、原稿を一定速度で移動させながら原稿画像を読取る流し読み時に、原稿台ガラス上の流し読み位置に対するゴミや汚れ等の付着に起因した黒スジ画像の発生を大幅に低減することを可能とした画像読取装置を提供することを目的とする。
【手続補正５】
【補正対象書類名】明細書
【補正対象項目名】０００８
【補正方法】変更
【補正の内容】
【０００８】
【課題を解決するための手段】
上記目的を達成するため、請求項１記載の発明は、原稿をガラス上で移動させながら読取手段により原稿画像を読取る画像読取装置であって、前記読取手段による原稿読取りを行っていない期間中に前記読取手段から出力される画像データに基づき、前記ガラス上におけるゴミ又は汚れの有無を検知する検知手段と、前記読取手段による原稿読取り中に前記読取手段から出力される画像データに対し、前記検知手段の検知結果に基づいた補正処理を行う補正手段と、前記読取手段の読取位置を移動させる移動手段と、前記読取手段による原稿読取り中は前記補正手段により補正処理を行わせ、前記読取手段による原稿読取りを行っていない期間中に前記移動手段により前記読取手段の読取位置を前記ガラス上のゴミ又は汚れの無い位置へ移動させる制御手段とを有することを特徴とする。
【手続補正６】
【補正対象書類名】明細書
【補正対象項目名】０００９
【補正方法】変更
【補正の内容】
【０００９】
上記目的を達成するため、請求項２記載の発明は、前記補正手段は、前記検知手段の検知結果に応じて、ゴミ又は汚れが検出された位置に対応した画像データをその周囲の画像データで置き換えることで、画像データに対してゴミ又は汚れに関する補正を行うことを特徴とする。
【手続補正７】
【補正対象書類名】明細書
【補正対象項目名】００１０
【補正方法】変更
【補正の内容】
【００１０】
上記目的を達成するため、請求項３記載の発明は、前記検知手段は、前記読取手段から出力される画像データを２値化する２値化手段と、主走査方向の同一アドレスの画像データに一定率以上黒データが得られるか否かを判定する判定手段とを含むことを特徴とする。
【手続補正８】
【補正対象書類名】明細書
【補正対象項目名】００１１
【補正方法】変更
【補正の内容】
【００１１】
上記目的を達成するため、請求項４記載の発明は、前記検知手段は、主走査方向の同一アドレスの画像データに一定率以上の黒データが得られる画素が所定数以下で連続する場合は、そのアドレスに対応する前記ガラス上の個所にゴミ又は汚れがあると判定し、前記主走査方向の同一アドレスの画像データに一定率以上の黒データが得られる画素が所定数を超えて連続する場合は、前記ガラス上のゴミ又は汚れではないと判定する判定手段を含むことを特徴とする。
【手続補正９】
【補正対象書類名】明細書
【補正対象項目名】００１２
【補正方法】変更
【補正の内容】
【００１２】
上記目的を達成するため、請求項５記載の発明は、前記制御手段は、原稿読取ジョブの各原稿の読取りの間の原稿読取りを行っていない期間中に前記検知手段に検知を行わせ、原稿読取りジョブ中は前記補正手段により補正処理を行わせ、原稿読取りジョブの終了時から次の原稿読取ジョブの開始時までに前記移動手段により前記読取手段の読取位置を前記ガラス上のゴミ又は汚れの無い位置へ移動させることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００６３
【補正方法】変更
【補正の内容】
【００６３】
［３］ゴミ回避処理
ゴミ回避処理は、流し読み位置をずらしながら、原稿台ガラス上の流し読み位置におけるゴミ検知を行い、ゴミの無い流し読み位置を探す動作を行う処理である。
【手続補正３９】
【補正対象書類名】明細書
【補正対象項目名】００７４
【補正方法】変更
【補正の内容】
【００７４】
【発明の効果】
以上説明したように、本発明の画像読取装置によれば、原稿読取り中は補正処理を行わせ、原稿読取りを行っていない期間中に読取手段の読取位置をガラス上のゴミ又は汚れの無い位置へ移動させるため、原稿を一定速度で移動させながら原稿画像を読取る流し読み時に、ガラス上の流し読み位置に対するゴミや汚れ等の付着に起因した黒スジ画像の発生を大幅に低減することができるという効果を奏する。
【手続補正４０】
【補正対象書類名】明細書
【補正対象項目名】００７５
【補正方法】削除
【補正の内容】
【手続補正４１】
【補正対象書類名】明細書
【補正対象項目名】符号の説明
【補正方法】変更
【補正の内容】
【符号の説明】
５０１  リニアイメージセンサ
５０４  シェーディング補正回路
５０５  フィルタ回路
５０６  ２値化回路
５０７  加算回路
５０８  ラインメモリ
５０９  コンパレータ
５１０  ＡＮＤ回路
５１１  ゴミ検知結果保持回路
５１２、７０２  ＣＰＵ
５２０  ゴミ検知回路
７０１  画像メモリ